(57)【要約】【課題】吐出操作性に優れた使い易い吐出キャップを提供すること。【解決手段】容器本体２の口部３を覆う内キャップ１０と、内キャップを覆う外キャップ１１とを備え、内キャップには、容器本体内に連通する連通孔３２と、キャップ軸Ｏ１方向に沿う容器内側に向けて弾性変形可能とされ、弾性変形によって容器本体の内圧を上昇させる弾性変形部３４とが形成され、外キャップの天壁部４０には、連通孔に連通する吐出口５１と、弾性変形部に対してキャップ軸方向に対向する貫通孔５３と、貫通孔を通じて弾性変形部を容器内側に向けて押下する押下部材５４とが形成され、押下部材は、貫通孔の内側に配置されると共に第１ヒンジ部６０を介して天壁部に連結された回動片６１と、回動片から容器内側に向けて突出すると共に、第１ヒンジ部を中心とした回動片の回動に伴って弾性変形部を押下する押下突起６２とを備えている吐出キャップ１を提供する。【選択図】図１
2018203314.tif 000002
【特許請求の範囲】
【請求項１】
内容物が収容される容器本体の口部を覆う内キャップと、
前記内キャップよりもキャップ軸方向に沿う容器外側に配置された天壁部を有し、前記内キャップを覆う外キャップと、を備え、
前記内キャップには、前記容器本体内に連通すると共に前記内キャップを前記キャップ軸方向に貫通する連通孔と、前記キャップ軸方向に沿う容器内側に向けて弾性変形可能とされ、弾性変形によって前記容器本体の内圧を上昇させる弾性変形部と、が形成され、
前記天壁部には、前記連通孔に連通する吐出口と、前記天壁部を前記キャップ軸方向に貫通すると共に前記弾性変形部に対して前記キャップ軸方向に対向する貫通孔と、前記貫通孔を通じて前記弾性変形部を前記容器内側に向けて押下する押下部材と、が形成され、
前記押下部材は、前記貫通孔の内側に配置されると共に、第１ヒンジ部を介して前記天壁部に連結された回動片と、前記回動片から前記容器内側に向けて突出すると共に、前記第１ヒンジ部を中心とした前記回動片の回動に伴って前記弾性変形部を押下する押下突起と、を備えている吐出キャップ。
【請求項２】
請求項１に記載の吐出キャップにおいて、
前記回動片には、前記貫通孔の外側まで延びると共に、前記キャップ軸方向から見て、前記押下突起を挟んで前記第１ヒンジ部とは反対側に配置された操作片が形成され、
前記操作片は、前記天壁部に対して前記容器外側から対向すると共に、前記第１ヒンジ部を中心とした前記回動片の回動に伴って前記天壁部に対して前記容器外側から接触する、吐出キャップ。
【請求項３】
請求項２に記載の吐出キャップにおいて、
前記吐出口は、前記第１ヒンジ部を挟んで前記押下部材とは前記外キャップの径方向の反対側に配置されている吐出キャップ。
【請求項４】
請求項１から３のいずれか１項に記載の吐出キャップにおいて、
前記天壁部よりも前記容器外側に配置された頂壁部を有し、前記吐出口及び前記押下部材を覆うカバーキャップを備え、
前記カバーキャップは、第２ヒンジ部を介して前記外キャップに連結されると共に、前記第２ヒンジ部を中心とした回動によって前記吐出口を開閉し、
前記第２ヒンジ部は、前記キャップ軸方向から見て、前記第２ヒンジ部のヒンジ軸が前記第１ヒンジ部のヒンジ軸に対して直交するように配置されている、吐出キャップ。
【請求項５】
請求項４に記載の吐出キャップにおいて、
前記頂壁部には、前記容器内側に向かって突出すると共に、前記押下部材に対して前記容器外側から接触する接触リブが形成され、
前記接触リブは、前記第２ヒンジ部の前記ヒンジ軸に対して平行に延びるように形成され、前記押下部材に対して前記キャップ軸方向に対向している、吐出キャップ。
【発明の詳細な説明】
【技術分野】
【０００１】
本発明は、吐出キャップに関する。
【背景技術】
【０００２】
従来、例えば特許文献１に記載されているように、内容物が収容される容器本体の口部に装着され、内容物を吐出する吐出口及び押圧部が天壁部に形成された有頂筒状のキャップ本体を備える吐出キャップが知られている。押圧部は、上方に膨らむと共にヒンジ部を中心として回動可能なボタン部と、ボタン部よりも吐出口側に配置されると共にボタン部に連設された弾性圧潰部と、を有している。ヒンジ部は、ボタン部を挟んで弾性圧潰部とは径方向の反対側に配置されている。
この吐出キャップでは、ボタン部を押圧すると、弾性圧潰部が弾性変形しながらヒンジ部を中心にボタン部が回動して容器本体側に向けて沈み込む。これにより、容器本体の内圧を上昇させることができ、吐出口を通じて内容物を吐出することが可能となる。
【先行技術文献】
【特許文献】
【０００３】
【特許文献１】特開２００６−１２３９９８号公報
【発明の概要】
【発明が解決しようとする課題】
【０００４】
しかしながら、上記従来の吐出キャップでは、ヒンジ部、ボタン部及び弾性圧潰部が一体に形成されているうえ、これらヒンジ部、ボタン部及び弾性圧潰部を吐出口と共に天壁部に配置させる必要がある。従って、天壁部の限られたスペース内に、吐出口、ヒンジ部、ボタン部及び弾性変形部を配置する必要があるので、ヒンジ部を中心としたボタン部の回動半径を確保し難い。これにより、ボタン部を効率良く押圧することが難しく、弾性圧潰部をスムーズに弾性変形させ難い。従って、例えばボタン部を小さい力で押すことが難しく、吐出操作性に改善の余地があった。
【０００５】
本発明は、このような事情に鑑みてなされたものであって、その目的は、吐出操作性に優れた使い易い吐出キャップを提供することである。
【課題を解決するための手段】
【０００６】
（１）本発明に係る吐出キャップは、内容物が収容される容器本体の口部を覆う内キャップと、前記内キャップよりもキャップ軸方向に沿う容器外側に配置された天壁部を有し、前記内キャップを覆う外キャップと、を備え、前記内キャップには、前記容器本体内に連通すると共に前記内キャップを前記キャップ軸方向に貫通する連通孔と、前記キャップ軸方向に沿う容器内側に向けて弾性変形可能とされ、弾性変形によって前記容器本体の内圧を上昇させる弾性変形部と、が形成され、前記天壁部には、前記連通孔に連通する吐出口と、前記天壁部を前記キャップ軸方向に貫通すると共に前記弾性変形部に対して前記キャップ軸方向に対向する貫通孔と、前記貫通孔を通じて前記弾性変形部を前記容器内側に向けて押下する押下部材と、が形成され、前記押下部材は、前記貫通孔の内側に配置されると共に、第１ヒンジ部を介して前記天壁部に連結された回動片と、前記回動片から前記容器内側に向けて突出すると共に、前記第１ヒンジ部を中心とした前記回動片の回動に伴って前記弾性変形部を押下する押下突起と、を備えている。
【０００７】
本発明に係る吐出キャップによれば、容器本体を傾けながら押下部材の回動片を内キャップ側に向けて押下げることで、第１ヒンジ部を中心として回動片を内キャップ側に回動させることができ、押下突起を利用して弾性変形部を容器本体側に向けて弾性変形させることができる。これにより容器本体の内圧を上昇させることができ、連通孔及び吐出口を通じて容器本体内の内容物を外部に吐出することができる。
内容物の吐出後、回動片の押下げを解除すると、弾性変形部は弾性復元変形により元の状態に復帰すると共に、これに伴って回動片も元の状態に復帰する。これにより、次回の押下操作に備えることができる。
【０００８】
特に、弾性変形部と押下部材とを同一部材に形成するのではなく、キャップ軸方向に離れて配置された別部材、すなわち内キャップ及び外キャップにそれぞれ形成している。そのため、押下部材を、弾性変形部の設置スペース等を気にすることなく天壁部に設けることができ、例えば第１ヒンジ部を中心とした回動片の回動半径を大きく確保するように回動片を形成することが可能である。これにより、回動片の押下操作に伴って、押下突起を弾性変形部側に向けて大きく移動させることができ、弾性変形部を効率良く弾性変形させることができる。従って、大きな押下力を必要とすることなく回動片を押下操作することができ、吐出操作性に優れた使い易い吐出キャップとすることができる。
【０００９】
（２）前記回動片には、前記貫通孔の外側まで延びると共に、前記キャップ軸方向から見て、前記押下突起を挟んで前記第１ヒンジ部とは反対側に配置された操作片が形成され、前記操作片は、前記天壁部に対して前記容器外側から対向すると共に、前記第１ヒンジ部を中心とした前記回動片の回動に伴って前記天壁部に対して前記容器外側から接触しても良い。
【００１０】
この場合には、操作片を介して回動片を押下げることができる。特に操作片は、押下突起を挟んで第１ヒンジ部とは反対側に配置されているので、回動片の回動中心、いわゆる「支点」となる第１ヒンジ部と、押下力を受ける部分、いわゆる「力点」となる操作片との間に、弾性変形部に対して押下力を作用させる部分、いわゆる「作用点」となる押下突起を配置させることができる。従って、操作片を介して回動片を押下げることで、てこの原理を利用して押下突起を介して弾性変形部を容器本体側に向けて弾性変形させることができる。そのため、大きな押下力を必要とせずに、よりスムーズに回動片を押下操作することができ、吐出操作性をさらに向上することができる。
しかも、操作片を具備することで、第１ヒンジ部から操作片に至る距離、すなわち回動片の回動半径をさらに大きく確保できるので、てこの原理と相まって小さい押下力であっても回動片を押下操作することが可能になる。よって、吐出操作性を効果的に向上させ易い。
【００１１】
さらに、操作片を介して回動片を押下操作する際、天壁部に対して操作片を容器外側から接触させることができ、それ以上、回動片が内キャップ側に向けて回動することを規制することができる。これにより、弾性変形部の弾性変形量を一定値に維持し易く、容器本体内の内圧を予め決まった圧力分だけ上昇させることができる。従って、１回の吐出操作毎に、決まった吐出量分だけ内容物を吐出させることができる。
【００１２】
（３）前記吐出口は、前記第１ヒンジ部を挟んで前記押下部材とは前記外キャップの径方向の反対側に配置されても良い。
【００１３】
この場合には、例えば容器本体を把持しながら指先で回動片を押下げ操作する場合、指先を第１ヒンジ部及び吐出口に向けた状態で操作片を介して回動片を指先で押下操作することができる。従って、例えば手首等を捻ることなく、吐出口を自然と下向きにすることができ、吐出操作性を向上することができる。また、操作片と吐出口とを径方向に離すことができるので、吐出口から離れた位置で操作片を指先で押下操作することができる。そのため、吐出口に対して指先を触れ難くすることができ、吐出口を清浄に維持し易いうえ、内容物が周囲に飛散することを防止することができる。従って、使い易さをさらに向上することができる。
【００１４】
（４）前記天壁部よりも前記容器外側に配置された頂壁部を有し、前記吐出口及び前記押下部材を覆うカバーキャップを備え、前記カバーキャップは、第２ヒンジ部を介して前記外キャップに連結されると共に、前記第２ヒンジ部を中心とした回動によって前記吐出口を開閉し、前記第２ヒンジ部は、前記キャップ軸方向から見て、前記第２ヒンジ部のヒンジ軸が前記第１ヒンジ部のヒンジ軸に対して直交するように配置されても良い。
【００１５】
この場合には、カバーキャップを具備しているので、吐出口を清浄に維持し易いうえ、押下部材の誤操作を防止することができる。また、キャップ軸方向から見て、第２ヒンジ部のヒンジ軸と第１ヒンジ部のヒンジ軸とが直交しているので、カバーキャップを第２ヒンジ部のヒンジ軸回りに回動させて開操作したときに、押下部材の押下操作に邪魔とならない位置にカバーキャップを位置させることができる。これにより、カバーキャップを気にすることなく、押下部材の回動片を第１ヒンジ部のヒンジ軸回りに回動するように押下操作することができ、良好な吐出操作を行える。
【００１６】
（５）前記頂壁部には、前記容器内側に向かって突出すると共に、前記押下部材に対して前記容器外側から接触する接触リブが形成され、前記接触リブは、前記第２ヒンジ部の前記ヒンジ軸に対して平行に延びるように形成され、前記押下部材に対して前記キャップ軸方向に対向しても良い。
【００１７】
この場合には、カバーキャップの頂壁部に接触リブが形成されているので、例えば吐出キャップの組み立て時、カバーキャップの閉操作を利用して、押下部材の回動片を定位置にセットすることが可能である。従って、例えば外キャップ及びカバーキャップを成形金型で一体的に成形する場合、成形金型の金型構造やスムーズな離型性等を考慮して、天壁部に対する回動片の姿勢（角度）を成形に適した状態にすることができる。そして、外キャップ及びカバーキャップの成形後、カバーキャップを第２ヒンジ部のヒンジ軸回りに回動させて閉操作することで、接触リブを利用して回動片を天壁部側に押し込むように第１ヒンジ部のヒンジ軸回りに回動させることができ、カバーキャップを閉じると同時に、回動片を定位置にセットすることができる。
【００１８】
特に接触リブは、第２ヒンジ部のヒンジ軸に対して平行に延びるように形成され、押下部材に対してキャップ軸方向に対向している。従って、カバーキャップの閉操作に伴って、接触リブに沿って相対移動させながら回動片を回動させることができ、接触リブを利用して回動片を連続的に押し込むことができる。そのため、回動片を定位置に確実にセットし易い。
このように、吐出キャップの組み立て時、カバーキャップを利用して回動片を定位置に容易にセットすることができるので、複雑な成形金型や成形手順等を不要とすることができる。従って、製造効率を向上することができると共に低コスト化を図り易い。特に、回動片に操作片を形成する場合には有効である。
【発明の効果】
【００１９】
本発明によれば、吐出操作性に優れた使い易い吐出キャップとすることができる。
【図面の簡単な説明】
【００２０】
【図１】本発明に係る吐出キャップの実施形態を示す縦断面図である。
【図２】図１に示す状態からカバーキャップが開いた状態での吐出キャップの上面図である。
【図３】図２に示すＡ−Ａ線に沿った吐出キャップの縦断面図である。
【図４】容器本体を傾けながら内キャップの弾性変形部を弾性変形させることで、吐出口を通じて内容物を吐出している状態を示す吐出キャップの縦断面図である。
【図５】押下部材の回動片をキャップ軸方向に起立させた状態で、外キャップ及びカバーキャップを成形した直後の状態を示す吐出キャップの縦断面図である。
【図６】図５に示す吐出キャップの上面図である。
【図７】図６に示すＣ−Ｃ線に沿った吐出キャップの縦断面図であって、カバーキャップを閉操作している状態を示す縦断面図である。
【図８】図１に示す吐出キャップの変形例を示す縦断面図である。
【発明を実施するための形態】
【００２１】
以下、本発明に係る吐出キャップの実施形態について図面を参照して説明する。なお、以下の説明に用いる各図面では、各部材を認識可能な大きさとするために縮尺を適宜変更している場合がある。
【００２２】
図１に示すように、本実施形態の吐出キャップ１は、内容物が収容される容器本体２の口部３に装着されて使用される。容器本体２としては、特に限定されるものではないが、例えばガラス瓶や合成樹脂製ボトル等が挙げられる。図示の例では、容器本体２の口部３の外周面には、第１ねじ部４が形成されている。
【００２３】
図１〜図３に示すように、吐出キャップ１は、容器本体２の口部３を覆う内キャップ１０と、内キャップ１０を覆う有頂筒状の外キャップ１１と、外キャップ１１の天壁部４０を覆う有頂筒状のカバーキャップ１２と、を備えている。
【００２４】
本実施形態では、外キャップ１１の内側に内キャップ１０が組み合わされた状態で、外キャップ１１が容器本体２の口部３に装着されている場合を例に挙げて説明する。
ただし、この場合に限定されるものではなく、例えば内キャップ１０が容器本体２の口部３に装着され、外キャップ１１が内キャップ１０に対して装着されても構わない。さらには、容器本体２の口部３に内キャップ１０及び外キャップ１１がそれぞれ装着されていても構わない。
【００２５】
図１において、容器本体２の口部３、外キャップ１１外及びカバーキャップ１２は、それぞれの中心軸線が共通軸上に配置されている。以下、この共通軸をキャップ軸Ｏ１といい、キャップ軸Ｏ１方向に沿う容器外側、すなわちカバーキャップ１２側を上方、その反対側である容器本体２側を下方という。また、キャップ軸Ｏ１方向から見た平面視でキャップ軸Ｏ１に直交する方向を径方向といい、キャップ軸Ｏ１回りに周回する方向を周方向という。
【００２６】
容器本体２の口部３には、容器本体２の内部を密封する取り外し可能な中栓キャップ１３が装着されている。
中栓キャップ１３は、容器本体２の口部３のうち第１ねじ部４よりも上方に位置する部分を径方向外側から囲む外筒部２０と、外筒部２０の上端部から径方向内側に向けて延び、容器本体２の口部３の開口端縁上に位置する環状のフランジ壁部２１と、フランジ壁部２１の内周縁部から下方に向けて延び、容器本体２の口部３の内側に密に嵌合するシール筒部２２と、シール筒部２２の下端部を閉塞する平面視円形状の閉塞壁部２３と、を備え、キャップ軸Ｏ１と同軸に配置されている。
【００２７】
このように構成された中栓キャップ１３は、吐出キャップ１の使用時に口部３から取り外される。なお、中栓キャップ１３としては、上述した構成に限定されるものではなく、容器本体２の内部を密封し、且つ容器本体２の口部３から取り外すことが可能であれば、どのように構成されていても構わない。
さらに、中栓キャップ１３は必須なものではなく、具備しなくても構わない。なお、後に説明するように吐出口５１が閉塞栓７３によって開放可能にシールされているうえ、吐出口５１が開放されている場合であっても弾性変形部３４の弾性変形に伴う容器本体２の内圧が上昇しない限り、吐出口５１から内容物が吐出されないので、中栓キャップ１３を具備しない構成であっても構わない。
【００２８】
内キャップ１０は、容器本体２の口部３よりも上方に配置されると共に、キャップ軸Ｏ１と同軸に配置されている。
内キャップ１０は、上方に向けて半球状に膨らむように形成され、容器本体２の口部３を上方から閉塞するドーム部３０と、ドーム部３０の下端部から径方向外側に向けて突出し、中栓キャップ１３におけるフランジ壁部２１に対して上方から接触する環状のフランジ片３１と、を備えている。
【００２９】
従って、内キャップ１０は、中栓キャップ１３が装着されている状態では中栓キャップ１３を介して容器本体２の口部３上に配置され、中栓キャップ１３が取り外された状態（図４参照）では、フランジ片３１が容器本体２の口部３の開口端縁上に接触した状態で容器本体２の口部３上に配置される。
【００３０】
ドーム部３０には、内キャップ１０内を通じて容器本体２内に連通すると共にドーム部３０をキャップ軸Ｏ１方向に貫通する連通孔３２と、上方に向けて延びると共に、その内側が連通孔３２内に連通する突出筒部３３と、下方に向けて弾性変形可能とされ、弾性変形によって容器本体２の内圧を上昇させる弾性変形部３４と、径方向外側に向けて突出した縦リブ３５と、が形成されている。
【００３１】
連通孔３２は、ドーム部３０のうちキャップ軸Ｏ１から径方向にずれた部分に形成されている。なお、径方向のうち、連通孔３２の中心をキャップ軸Ｏ１方向に貫く中心軸線Ｏ２とキャップ軸Ｏ１とを通過する方向を前後方向Ｌ１といい、前後方向Ｌ１に沿ってキャップ軸Ｏ１から連通孔３２に向かう方向を前方、その反対方向を後方という。さらに、径方向のうち前後方向Ｌ１に直交する方向を左右方向Ｌ２という。
【００３２】
突出筒部３３は、中心軸線Ｏ２と同軸に配置され、ドーム部３０の頂上部よりも上方に突出するように上方に向けて延びている。
縦リブ３５は、ドーム部３０のうち前方側に位置する部分から、前方に向けて突出すると共にキャップ軸Ｏ１方向に沿って延びる縦長に形成されている。図示の例では縦リブ３５は、その下端部がフランジ片３１に一体に接続されるように形成されている。縦リブ３５の上端部は、ドーム部３０の頂上部よりも僅かに下方に位置し、縦リブ３５の外縁部はフランジ片３１の外周縁部よりも僅かに径方向内側に位置している。
【００３３】
弾性変形部３４は、ドーム部３０のうちキャップ軸Ｏ１よりも後方側に位置する部分に形成され、ドーム部３０の他の部分よりも薄肉に形成されている。図示の例では、弾性変形部３４は、ドーム部３０の後方側の半分程度を占める大きさで形成され、その肉厚はドーム部３０における他の部分の肉厚の半分程度とされている。
このように、弾性変形部３４はドーム部３０の他の部分よりも薄肉に形成されているので、外力が作用したときに下方に向けて弾性変形可能とされている。
【００３４】
なお、弾性変形部３４を含む内キャップ１０の全体は軟材質、例えばＰＥ（ポリエチレン）、ＰＰ（ポリプロピレン）等の樹脂材料で形成され、特に弾性変形部３４は薄肉に形成されていることで弾性変形可能とされている。
【００３５】
ただし本実施形態ではドーム３０部の一部を薄肉の弾性変形部３４として機能させたが、ドーム部３０に、ドーム部３０とは別体の弾性変形部３４を一体に形成、或いは組み合わせても構わない。例えば、ドーム部３０をＰＥ（ポリエチレン）、ＰＰ（ポリプロピレン）等の樹脂材料で形成し、弾性変形部３４をドーム部３０よりもさらに軟らかい弾性変形可能な軟材質、例えばシリコンゴム等のゴム材で形成しても構わない。この場合には、例えば樹脂及びゴムの異材樹脂成形によって弾性変形部３４を有する内キャップ１０を形成することが可能である。
【００３６】
外キャップ１１及びカバーキャップ１２は、例えばＰＥ（ポリエチレン）、ＰＰ（ポリプロピレン）等の樹脂材料によって成形されることで、一体に形成されている。
【００３７】
外キャップ１１は、内キャップ１０よりも上方に配置された天壁部４０と、天壁部４０の外周縁部から下方に向けて延び、内キャップ１０のドーム部３０を径方向外側から囲む上筒部４１と、上筒部４１の下端部からさらに下方に向けて延びると共に、容器本体２の口部３、中栓キャップ１３及び内キャップ１０のフランジ片３１を径方向外側から囲む下筒部４２と、を備えている。
【００３８】
上筒部４１は、下筒部４２よりも直径が小さい円筒状に形成されている。そのため、上筒部４１の下端部と下筒部４２の上端部との接続部分には、下方に向いた環状の段差壁４３が形成されている。段差壁４３は、内キャップ１０におけるフランジ片３１に対して上方から接触している。これにより、内キャップ１０のフランジ片３１は、段差壁４３と容器本体２の口部３の開口端縁との間に挟まれた状態とされている。そのため、内キャップ１０は、外キャップ１１と容器本体２との間にキャップ軸Ｏ１方向に位置決めされた状態で、外キャップ１１の内側に配置されている。
【００３９】
下筒部４２の内周面には、容器本体２の口部３に形成された第１ねじ部４に螺着される第２ねじ部４４が形成されている。これにより、外キャップ１１は、容器本体２の口部３に対してねじ結合により装着される。
ただし、この場合に限定されるものではなく、例えば外キャップ１１の下筒部４２が容器本体２の口部３に対してアンダーカット嵌合により装着されても構わない。
【００４０】
上筒部４１のうち前方側に位置する部分の内周面には、内キャップ１０の縦リブ３５が下方から離脱可能に嵌合する縦長のスリット孔４５が形成されている。スリット孔４５は、縦リブ３５の長さに対応してキャップ軸Ｏ１方向に延びていると共に下方に開口するように形成されている。
そのため、外キャップ１１の下方から内キャップ１０を組み入れ、スリット孔４５内に縦リブ３５を嵌合させながら上筒部４１の内側に内キャップ１０を収容させることが可能とされている。これにより、内キャップ１０は、外キャップ１１に対して回り止めがされた状態で外キャップ１１の内側に一体的に組み合わされている。
【００４１】
従って、外キャップ１１を容器本体２の口部３に装着する前に、内キャップ１０と外キャップ１１とを組み立てることが可能とされている。また、内キャップ１０が組み合わされた外キャップ１１を容器本体２の口部３に装着することで、内キャップ１０を容器本体２の口部３の上方に配置させることが可能となる。
【００４２】
なお、下筒部４２における上端部側の内周面には、径方向内側に向かって突出し、内キャップ１０のフランジ片３１に対してアンダーカット嵌合する係合突部４６が形成されている。これにより、内キャップ１０は下方への抜け止めがされた状態で外キャップ１１に対して組み合わされている。
【００４３】
天壁部４０のうち外周縁部に位置する部分（上面）は、全周に亘って下方に僅かに窪んだ段差部４０ａとされている。
天壁部４０のうち段差部４０ａよりも径方向内側に位置する部分（下面）には、天壁部４０をキャップ軸Ｏ１方向に貫通する嵌合孔５０と、内容物を吐出する吐出口５１が形成された吐出筒部５２と、天壁部４０をキャップ軸Ｏ１方向に貫通すると共に弾性変形部３４に対してキャップ軸Ｏ１方向に対向する貫通孔５３と、貫通孔５３を通じて弾性変形部３４を下方に向けて押下する押下部材５４と、が形成されている。
【００４４】
嵌合孔５０は、中心軸線Ｏ２と同軸に配置され、その内側に内キャップ１０の突出筒部３３が下方から密に嵌合されている。
吐出筒部５２は、中心軸線Ｏ２と同軸に配置され、その内側が上記嵌合孔５０内に連通した状態で天壁部４０から上方に向けて延びている。吐出筒部５２の内側は、上記吐出口５１として機能する。従って、吐出口５１内と嵌合孔５０内とは互いに連通している。上述したように嵌合孔５０の内側には突出筒部３３が嵌合されているので、吐出口５１は突出筒部３３内を通じて連通孔３２に連通している。図示の例では、吐出筒部５２はその内径が上方に向かうにしたがって漸次拡径するように形成されている。これにより、吐出筒部５２から内容物を吐出し易い構成とされている。
【００４５】
貫通孔５３は、吐出口５１よりも後方側に配置され、キャップ軸Ｏ１方向から見た平面視で正方形状に形成されている。ただし、貫通孔５３の開口周壁部のうち後方側に位置する後方周壁部５３ａは、上筒部４１の内周面に対応して周方向に延びる平面視円弧状に形成されている。貫通孔５３の開口周壁部のうち残りの３つの周壁部は、前後方向Ｌ１及び左右方向Ｌ２に延びている。ただし、貫通孔５３の形状は、この場合に限定されるものではなく、適宜変更して構わない。
【００４６】
押下部材５４は、貫通孔５３の内側に配置されると共に、第１ヒンジ部６０を介して天壁部４０に連結された回動片６１と、回動片６１から弾性変形部３４側に向けて突出すると共に、第１ヒンジ部６０を中心とした回動片６１の回動に伴って弾性変形部３４を下方に押下する押下突起６２と、回動片６１から径方向外側に向かって延びる操作片６３と、を備えている。
【００４７】
回動片６１は、キャップ軸Ｏ１方向から見た平面視で貫通孔５３の開口サイズよりも小さい正方形状に形成されていると共に、縦断面視で前方側に位置する前端部から後方側に位置する後端部に向かうにしたがって上方に向けて延びるように僅かに傾斜している。
【００４８】
第１ヒンジ部６０は、貫通孔５３の開口周壁部のうち前方側に位置する前方周壁部５３ｂと、回動片６１の前端部と、を接続しており、そのヒンジ軸Ｍ１は左右方向Ｌ２に延びている。上記回動片６１は、第１ヒンジ部６０を中心として、すなわちヒンジ軸Ｍ１回りに回動可能とされている。
【００４９】
押下突起６２は、主に回動片６１の後端部側から下方に向けて突出し、その下端部は丸みを帯びた形状、例えば縦断面視半円状に形成されている。押下突起６２の下端部は、上筒部４１の内側に入り込んだ状態で弾性変形部３４よりも上方に配置されている。これにより、押下突起６２の下端部は、弾性変形部３４に対してキャップ軸Ｏ１方向に対向した状態で、弾性変形部３４の上方に待機している。
【００５０】
操作片６３は、回動片６１の後端部から後方、且つ上方に向かって延びていると共に、貫通孔５３よりも後方側に延びている。これにより操作片６３は、押下突起６２を挟んで第１ヒンジ部６０とは径方向の反対側に配置されている。しかも操作片６３は、貫通孔５３よりも後方側に延びているので、天壁部４０に対して上方から対向している。
従って、操作片６３は第１ヒンジ部６０を中心とした回動片６１の回動に伴って天壁部４０に対して上方から接触し、回動片６１のそれ以上の下方への回動を規制することが可能とされている（図４参照）。
【００５１】
上述のように構成された押下部材５４は、吐出筒部５２よりも後方側に配置されている。つまり、押下部材５４と吐出筒部５２とは前後方向Ｌ１に並んで配置されている。そのため、吐出口５１は第１ヒンジ部６０を挟んで押下部材５４とは径方向の反対側に配置されている。
【００５２】
なお、図１に示すように、回動片６１の回動中心である第１ヒンジ部６０のヒンジ軸Ｍ１と、貫通孔５３における後方周壁部５３ａとの間の最短距離を距離Ｒ１とすると、ヒンジ軸Ｍ１と操作片６３の後端部との間の最短距離は、距離Ｒ１よりも長いＲ２となる。これにより、先に述べたように、第１ヒンジ部６０を中心とした回動片６１の回動に伴って操作片６３を天壁部４０に対して上方から接触させることが可能となる。
さらに、ヒンジ軸Ｍ１と押下突起６２の下端部との間の最短距離は、距離Ｒ１よりも短い距離Ｒ３となる。これにより、後に説明するように上方に起立した回動片６１を下方に向けて回動させる際に、押下突起６２が天壁部４０に接触することを防止することができる。
【００５３】
図１〜図３に示すように、カバーキャップ１２は、外キャップ１１の天壁部４０よりも上方に配置された頂壁部７０と、頂壁部７０の外周縁部から下方に向けて延び、その下端部が天壁部４０における段差部４０ａに対して上方から接触した円筒状の周壁部７１と、を備えた有頂筒状に形成され、天壁部４０、吐出口５１及び押下部材５４を覆っている。
【００５４】
カバーキャップ１２は、第２ヒンジ部７２を介して外キャップ１１に連結されると共に、第２ヒンジ部７２を中心とした回動によって吐出口５１を開閉する。
第２ヒンジ部７２は、外キャップ１１における上筒部４１の上端部とカバーキャップ１２における周壁部７１の下端部とを連結しており、そのヒンジ軸Ｍ２は前後方向Ｌ１に延びている。従って、第２ヒンジ部７２は、キャップ軸Ｏ１方向から見た平面視で、ヒンジ軸Ｍ２が第１ヒンジ部６０のヒンジ軸Ｍ１に対して直交するように配置されている。
【００５５】
頂壁部７０には、下方に向けて延び、吐出筒部５２の内側に上方から離脱可能に密に嵌合する閉塞栓７３が中心軸線Ｏ２と同軸に形成されている。吐出筒部５２の内側に閉塞栓７３が密に嵌合することで、吐出口５１はシールされている。図示の例では、閉塞栓７３は下方に開口した円筒状に形成されているが、この場合に限定されるものではなく、例えば中実の円柱状に形成されていても構わない。
【００５６】
なお頂壁部７０には、下方に向けて延び、吐出筒部５２を径方向外側から囲む囲繞筒部７４が中心軸線Ｏ２と同軸に形成されている。ただし、囲繞筒部７４は必須なものではなく、具備しなくても構わない。
【００５７】
さらに頂壁部７０には、下方に向かって突出すると共に、押下部材５４の操作片６３に対して上方から接触する接触リブ７５が形成されている。接触リブ７５は、第２ヒンジ部７２のヒンジ軸Ｍ２と平行、すなわち前後方向Ｌ１に延びるように形成され、押下突起６２に対してキャップ軸Ｏ１方向に対向している。
具体的には、接触リブ７５はキャップ軸Ｏ１方向から見た平面視で、左右方向Ｌ２よりも前後方向Ｌ１に長い長方形状に形成され、その前端部は囲繞筒部７４に一体に接続され、且つその後端部は周壁部７１に一体に接続されている。接触リブ７５は、前後方向Ｌ１の中央部から前端部に向かうにしたがって漸次厚みが増加するように形成され、前端部における厚みは囲繞筒部７４の高さと同等とされている。
【００５８】
（吐出キャップの作用）
次に、上記のように構成された吐出キャップ１を利用して内容物を吐出する場合について説明する。
【００５９】
この場合には、図１に示す状態から中栓キャップ１３を取り外した後、第２ヒンジ部７２のヒンジ軸Ｍ２回りにカバーキャップ１２を回動させることで、カバーキャップ１２を開操作する。これにより、吐出筒部５２の内側から閉塞栓７３を離脱させて、吐出口５１を開放することができる。
【００６０】
なお、外キャップ１１の内側に内キャップ１０が回り止めされた状態で組み合わされているので、外キャップ１１をキャップ軸Ｏ１回りに回転させて緩めることで、容器本体２の口部３から内キャップ１０ごと外キャップ１１を取り外すことができる。これにより、容器本体２の口部３から中栓キャップ１３を容易に取り外すことができる。
【００６１】
カバーキャップ１２を開操作した後、容器本体２を把持し、図４に示すように容器本体２を前方側に向けて傾けながら、矢印Ｂで示すように例えば指先で操作片６３を介して回動片６１を内キャップ１０側に向けて押下げる。
これにより、第１ヒンジ部６０のヒンジ軸Ｍ１回りに回動片６１を内キャップ１０側に回動させることができ、押下突起６２を利用して内キャップ１０の弾性変形部３４を容器本体２側に向けて弾性変形させることができる。これにより、容器本体２の内圧を上昇させることができ、容器本体２内の内容物を連通孔３２、突出筒部３３内及び吐出口５１を通じて外部に吐出することができる。
【００６２】
特に、操作片６３を介して回動片６１を押下操作する際、天壁部４０に対して操作片６３を接触させることができるので、それ以上、回動片６１が内キャップ１０側に向けて回動することを規制することができる。これにより、弾性変形部３４の弾性変形量を一定値に維持し易く、容器本体２の内圧を予め決まった圧力分だけ上昇させることができる。
従って、１回の吐出操作毎に、決まった吐出量分だけ内容物を吐出させることができる。図示の例では、決まった吐出量分だけ内容物を液滴状に吐出している。
【００６３】
内容物の吐出後、回動片６１の押下げを解除すると、弾性変形部３４は弾性復元変形により元の状態に復帰すると共に、これに伴って回動片６１も元の状態に復帰する。なお、弾性変形部３４の復元変形によって容器本体２内は負圧になるが、吐出口５１、突出筒部３３内及び連通孔３２を通じて容器本体２内に空気を流入させることができるので、容器本体２内の負圧を解消することが可能である。従って、次回の回動片６１の押下操作に備えることができる。
【００６４】
特に、弾性変形部３４と押下部材５４とを同一部材に形成するのではなく、キャップ軸Ｏ１方向に離れて配置された内キャップ１０と外キャップ１１とにそれぞれ形成しているため、押下部材５４を、弾性変形部３４の設置スペース等を気にすることなく天壁部４０に設けることができ、例えば第１ヒンジ部６０を中心とした回動片６１の回動半径を大きく確保するように回動片６１を形成することが可能である。これにより、回動片６１の押下操作に伴って、押下突起６２を弾性変形部３４側に向けて大きく移動させることができ、弾性変形部３４を効率良く弾性変形させることができる。
【００６５】
従って、本実施形態の吐出キャップ１によれば、大きな押下力を必要とすることなく回動片６１を押下操作することができ、吐出操作性に優れた使い易い吐出キャップとすることができる。
【００６６】
さらに、操作片６３が押下突起６２を挟んで第１ヒンジ部６０とは径方向の反対側に配置されているので、回動片６１の回動中心、いわゆる「支点」となる第１ヒンジ部６０と、押下力が作用する部分、いわゆる「力点」となる操作片６３との間に、弾性変形部３４に対して押下力を作用させる部分、いわゆる「作用点」となる押下突起６２を配置させることができる。
【００６７】
従って、操作片６３を介して回動片６１を押下げることで、てこの原理を利用して押下突起６２を介して弾性変形部３４を容器本体２側に向けて弾性変形させることができる。そのため、大きな押下力を必要とせずに、よりスムーズに回動片６１を押下操作することができ、吐出操作性をさらに向上することができる。
しかも、操作片６３を具備することで、第１ヒンジ部６０から操作片６３に至る距離（図１に示す距離Ｒ２）、すなわち回動片６１の回動半径をさらに大きく確保できるので、てこの原理と相まって小さい押下力であっても回動片６１を押下操作することが可能になる。よって、吐出操作性を効果的に向上させ易い。
【００６８】
また、吐出口５１は第１ヒンジ部６０を挟んで押下部材５４とは径方向の反対側に配置されているので、容器本体２を把持しながら指先で回動片６１を押下げ操作する場合、指先を第１ヒンジ部６０及び吐出口５１に向けた状態で操作片６３を介して回動片６１を指先で押下操作することができる。従って、例えば手首等を捻ることなく吐出口５１を自然と下向きにすることができ、吐出操作性を向上することができる。
【００６９】
さらに、操作片６３と吐出口５１とを径方向に離すことができるので、吐出口５１から離れた位置で操作片６３を指先で押下操作することができる。そのため、吐出口５１に対して指先を触れ難くすることができ、吐出口５１を清浄に維持できるうえ、内容物が周囲に飛散することを防止することができる。従って、使い易さをさらに向上することができる。
【００７０】
また、カバーキャップ１２を具備しているので、吐出口５１を清浄に維持し易いうえ、押下部材５４の誤操作を防止することができる。特に、キャップ軸Ｏ１方向から見て、第２ヒンジ部７２のヒンジ軸Ｍ２と第１ヒンジ部６０のヒンジ軸Ｍ１とが直交しているので、カバーキャップ１２を第２ヒンジ部７２のヒンジ軸Ｍ２回りに回動させて開操作したときに、押下部材５４の押下操作に邪魔とならない位置にカバーキャップ１２を位置させることができる。
従って、カバーキャップ１２を気にすることなく、押下部材５４の回動片６１を第１ヒンジ部６０のヒンジ軸Ｍ１回りに回動するように押下操作することができ、良好な吐出操作を行える。
【００７１】
さらに、カバーキャップ１２の頂壁部７０に接触リブ７５が形成されているので、例えば吐出キャップ１の組み立て時、カバーキャップ１２の閉操作を利用して、押下部材５４の回動片６１を定位置にセットすることが可能である。
従って、外キャップ１１及びカバーキャップ１２を成形金型で一体的に成形（射出成形）する場合、成形金型の金型構造やスムーズな離型性等を考慮して、天壁部４０に対する回動片６１の姿勢（角度）を成形に適した状態にすることができる。
【００７２】
具体的には、図５及び図６に示すように、回動片６１がキャップ軸Ｏ１と平行になるように該回動片６１を上方に向けて起立させた状態で、外キャップ１１及びカバーキャップ１２を一体的に成形することができる。これにより、操作片６３を上方に向けた状態にすることができるので、操作片６３を天壁部４０に対してキャップ軸Ｏ１方向に対向させることなく成形することができる。押下突起６２についても同様である。
従って、キャップ軸Ｏ１方向に離型可能な成形金型を利用して成形することができるので、複雑な金型構造を採用することなく、外キャップ１１及びカバーキャップ１２を容易且つ効率良く成形することができる。
【００７３】
そして、外キャップ１１及びカバーキャップ１２の成形後、図７に示すように、カバーキャップ１２を第２ヒンジ部７２のヒンジ軸Ｍ２回りに回動させて閉操作することで、接触リブ７５を利用して回動片６１を天壁部４０側に押し込むように第１ヒンジ部６０のヒンジ軸Ｍ１回りに回動させることができ、カバーキャップ１２を閉じると同時に、回動片６１を定位置にセットすることができる。
【００７４】
具体的には、カバーキャップ１２を第２ヒンジ部７２のヒンジ軸Ｍ２回りに回動させて閉操作すると、接触リブ７５の前端部側が操作片６３に対して上方から接触し、操作片６３を下方に向けて押し始める。これにより回動片６１は、カバーキャップ１２の閉操作に伴って、第１ヒンジ部６０のヒンジ軸Ｍ１回りを下方に向けて回動する。このとき、接触リブ７５は第２ヒンジ部７２のヒンジ軸Ｍ２に対して平行に延びて（前後方向Ｌ１に延びて）、回動片６１に対してキャップ軸Ｏ１方向に対向している。
従って、カバーキャップ１２の閉操作に伴って、接触リブ７５に沿って相対移動させながら回動片６１を回動させることができる。従って、接触リブ７５を利用して回動片６１を連続的に押し込むことができ、回動片６１を定位置に確実にセットすることができる。
【００７５】
従って、吐出キャップ１の組み立て時、カバーキャップ１２を利用して回動片６１を定位置に容易にセットすることができる。その結果、製造効率を向上することができると共に低コスト化を図り易い。
【００７６】
なお、上述した組み立てに関する説明では、容器本体２の口部３に外キャップ１１が装着された状態で説明したが、この場合に限定されるものではない。カバーキャップ１２の閉操作を利用した回動片６１の定位置のセットは、例えば外キャップ１１及びカバーキャップ１２を成形した直後に行っても構わないし、外キャップ１１の内側に内キャップ１０を組み合わせた後に行っても構わないし、上述したように内キャップ１０が組み合わされた外キャップ１１を容器本体２の口部３に装着した後に行っても構わない。
【００７７】
なお、本発明の技術範囲は、上記実施形態に限定されるものではなく、本発明の趣旨を逸脱しない範囲において、種々の変更を加えることが可能である。
【００７８】
例えば上記実施形態では、第２ヒンジ部７２を介してカバーキャップ１２を外キャップ１１に連結させたが、この場合に限定されるものではない。例えば、第２ヒンジ部７２を省略し、外キャップ１１に対して分離可能にカバーキャップ１２を装着しても構わない。
また、吐出筒部５２と押下部材５４とを前後方向Ｌ１に並ぶように配置したが、この場合に限定されるものではなく、吐出筒部５２と押下部材５４との位置関係は適宜変更して構わない。
【００７９】
さらに、上記実施形態では、回動片６１に操作片６３を設けたが、操作片６３は必須なものではなく具備しなくても構わない。
例えば、図８に示すように、操作片６３を具備しない押下部材５４を備えた吐出キャップ８０としても構わない。この場合であっても、内キャップ１０に弾性変形部３４が形成され、外キャップ１１に押下部材５４が形成されているので、回動片６１の押下操作に伴って、押下突起６２を弾性変形部３４側に向けて大きく移動させることができ、弾性変形部３４を効率良く弾性変形させることができる。従って、同様の作用効果を奏功することができる。
ただし、操作片６３を設けることで、てこの原理を有効に利用して弾性変形部３４を弾性変形させることができるので、より好ましい。
【００８０】
以上、本発明の実施形態を説明したが、本実施形態は例として提示したものであり、発明の範囲を限定することは意図していない。本実施形態は、その他様々な形態で実施されることが可能であり、発明の要旨を逸脱しない範囲で、種々の省略、置き換え、変更を行うことが可能であることに加え、各実施形態における変形例を適宜組み合わせてもよい。さらに、本実施形態やその変形例には、例えば当業者が容易に想定できるもの、実質的に同一のもの、均等の範囲のものなどが含まれる。
【符号の説明】
【００８１】
Ｍ１…第１ヒンジ部のヒンジ軸
Ｍ２…第２ヒンジ部のヒンジ軸
Ｏ１…キャップ軸
１、８０…吐出キャップ
２…容器本体
３…容器本体の口部
１０…内キャップ
１１…外キャップ
１２…カバーキャップ
３２…連通孔
３４…弾性変形部
４０…外キャップの天壁部
５１…吐出口
５３…貫通孔
５４…押下部材
６０…第１ヒンジ部
６１…回動片
６２…押下突起
６３…操作片
７０…カバーキャップの頂壁部
７２…第２ヒンジ部
７５…接触リブ
【図１】
2018203314.tif 000003
【図２】
2018203314.tif 000004
【図３】
2018203314.tif 000005
【図４】
2018203314.tif 000006
【図５】
2018203314.tif 000007
【図６】
2018203314.tif 000008
【図７】
2018203314.tif 000009
【図８】
2018203314.tif 000010